【事件の表示】
　平成　９年特許願第３２４５３７号「コネクタ端子の製造方法」拒絶査定不服審判事件〔平成１１年　６月１８日出願公開、特開平１１−１６２６１１号〕について、次のとおり審決する。
【結　論】
　本件審判の請求は、成り立たない。
【理　由】
第１．手続の経緯
　本願は、平成９年１１月２６日の出願であって、平成１５年４月１４日付けで手続補正がなされ、平成１５年７月４日付けで拒絶査定がなされ、これに対し、平成１５年８月７日付けで拒絶査定に対する審判請求がなされるとともに、平成１５年９月８日付けで手続補正がなされ、平成１８年１月６日付けで審尋がなされ、これに対し、平成１８年３月１３日付けで回答書が提出されたものである。
　　
第２．平成１５年９月８日付けの手続補正についての補正却下の決定
［補正却下の決定の結論］
　平成１５年９月８日付けの手続補正（以下、「本件補正」という。）を却下する。
　　
［理由］
１．補正後の本願発明
　本件補正により、特許請求の範囲の請求項１は、次のように補正された。
　「【請求項１】　第１接続部（７）で一体に接続された複数の第１コネクタ端子（４）および第２接続部（８）で一体に接続され第１コネクタ端子（４）よりも長い複数の第２コネクタ端子（５）を、それら端子（４，５）の長手方向が帯状の金属板母材（６）の長手方向に直交するように配列して、該金属板母材（６）からプレス打ち抜きにより成形するコネクタ端子の製造方法であって、
　第１コネクタ端子（４）および第２コネクタ端子（５）は、長手方向両端側にそれぞれ幅広部（４ｗ，５ｗ）と、コネクタハウジング（１）の端子装着孔（９，１０）への挿入後に折り曲げ加工される幅狭部（４ｎ，５ｎ）とを一体に備えていて、その第１，第２コネクタ端子（４，５）の幅広部（４ｗ，５ｗ）は同一形状を有しているが、第２コネクタ端子（５）の幅狭部（５ｎ）が第１コネクタ端子（４）の幅狭部（４ｎ）よりも長くなっており、
　また第１コネクタ端子（４）および第２コネクタ端子（５）は交互に配列されると共に、隣接する第１コネクタ端子（４）の間隔と、隣接する第２コネクタ端子（５）の間隔とを、それらが挿入されるコネクタハウジング
（１）の端子嵌着孔（９，１０）の間隔に一致させており、
　前記金属板母材（６）から第１コネクタ端子（４）および第２コネクタ端子（５）をプレス打ち抜きしたときには、第１コネクタ端子（４）の一端および第２コネクタ端子（５）の他端は金属板母材（６）の一方の側縁に沿って形成した前記第１接続部（７）に接続され、且つ第１コネクタ端子（４）の他端および第２コネクタ端子（５）の一端は金属板母材（６）の他方の側縁に沿って形成した前記第２接続部（８）に接続されていて、第１コネクタ端子（４）の幅広部（４ｗ）・幅狭部（４ｎ）が第２コネクタ端子（５）の幅狭部（５ｎ）・幅広部（５ｗ）にそれぞれ対向するように配列されてお
り、
　そのプレス打ち抜き後に、第１コネクタ端子（４）の他端を第２接続部（８）から切断し、且つ第２コネクタ端子（５）の他端を第１接続部（７）から切断することにより、第１接続部（７）と一体に接続された複数の第１コネクタ端子（４）を、第２接続部（８）と一体に接続された複数の第２コネクタ端子（５）から分離することを特徴とする、コネクタ端子の製造方
法。」　　
  　　
２．補正の目的及び新規事項の追加の有無　
　上記補正は、平成１５年４月１４日付けの手続補正書により補正された特許請求の範囲の請求項1における特定事項である「第１コネクタ端子（４）および第２コネクタ端子（５）」を「長手方向両端側にそれぞれ幅広部（４ｗ，５ｗ）と、コネクタハウジング（１）の端子装着孔（９，１０）への挿入後に折り曲げ加工される幅狭部（４ｎ，５ｎ）とを一体に備えていて、その第１，第２コネクタ端子（４，５）の幅広部（４ｗ，５ｗ）は同一形状を有しているが、第２コネクタ端子（５）の幅狭部（５ｎ）が第１コネクタ端子（４）の幅狭部（４ｎ）よりも長くなっており、」と限定を付加するとともに、同じく特定事項である「且つ第１コネクタ端子（４）の他端および第２コネクタ端子（５）の一端は金属板母材（６）の他方の側縁に沿って形成した前記第２接続部（８）に接続されており、」に「第１コネクタ端子（４）の幅広部（４ｗ）・幅狭部（４ｎ）が第２コネクタ端子（５）の幅狭部（５ｎ）・幅広部（５ｗ）にそれぞれ対向するように配列されており、」と限定を付加して、「且つ第１コネクタ端子（４）の他端および第２コネクタ端子（５）の一端は金属板母材（６）の他方の側縁に沿って形成した前記第２接続部（８）に接続されていて、第１コネクタ端子（４）の幅広部（４ｗ）・幅狭部（４ｎ）が第２コネクタ端子（５）の幅狭部（５ｎ）・幅広部（５ｗ）にそれぞれ対向するように配列されており、」とするものである。この限定を付加する補正は、補正前の請求項１に記載された発明と補正後の請求項１に記載される発明の産業上の利用分野及び解決しようとする課題が同一であるので、特許法第１７条の２第４項第２号の特許請求の範囲の減縮を目的とするものである。
　そして、上記補正は、新規事項を追加するものでもない。
　　　
３．独立特許要件
　そこで、本件補正後の上記請求項１に記載されている事項により特定される発明（以下、「本願補正発明」という。）が特許出願の際独立して特許を受けることができるものであるか（平成１５年改正前特許法第１７条の２第５項において準用する同法第１２６条第４項の規定に適合するか）について以下に検討する。
　
　３−１．刊行物の記載事項
　原査定の拒絶の理由に引用された特開昭６０−１８９１８６号公報（以
下、「刊行物」という。）には、次の事項が記載されている。
　（１）「(ロ)  発明の背景
  コネクタ接触端子はコネクタハウジングのコネクタ接触端子孔と同一ピッチＰで、フープ導電材を順送金型により２列共取りで多数個を縦列に連続してプレス加工し、つぎにその縦列に連続した状態でメッキ処理を施し、さらにその縦列に連続した状態で自動機によりコネクタハウジングに自動組込みを行っていた。
　しかし、前述したメッキ処理工程では、コネクタ接触端子の全体の腐蝕を防止するために全体にニッケルメッキを、また電気接触部はその接触抵抗を下げるため電気接触部の一部分のみに噴流金メッキを、さらに端子部はプリント基板等への取付けの際半田付を容易にし、かつ確実にするため端子部の一部分のみに半田ドブ漬処理を必要とするが、従来より行われているコネクタ接触端子の製造方法ではこのメッキ処理工程でそれぞれ次のような欠点を有していた。
（１）第１図に示すごとくトランスファプレス機の各ステーションに移送するためキャリア１をフープ導電材２の移送方向の中心部形成して、このキャリア１に中心位置を同一とする第１列側および第２列側のコネクタ接触端子３を配置した製造方法では、ニッケルメッキは第１列側および第２列側を同時に施し噴流金メッキおよび半田ドブ漬処理は、第１列側と第２列側のコネクタ接触端子３を互にキャリア１の中央部より切離しして、第１列側および第２列側を別々にしてそれぞれを別個にメッキしていた。このためメッキ処理工程はニッケルメッキ１回、噴流金メッキ２回、半田ドブ漬処理２回で合計５回必要であり、作業工程が複雑で工程での不良率が高くメッキ処理工程がコストアップの要因となつていた。
　またニッケルメッキを施した後キャリア１の中央部より折曲げて第１列側と第２列側のコネクタ接触端子を互に重ね合せる方法は、コネクタ接触端子３の片面のみに噴流金メッキを施す場合は有効であるが、両面に噴流金メッキが必要な場合は重ね合わさった互の内面に噴流金メッキを施すことができず前述したような工程でメッキ処理を施さなければならなかつた。
（２）第２図に示すごとくトランスファプレス機の各ステーシヨンに移送するためのキャリア１をフープ導電材２の移送方向の両側部に形成して、このそれぞれのキャリア１に中心位置を１／２ピッチずらし第１列側および第２列側のコネクタ接触端子３を千鳥取りに配置した製造方法においても、前述したと同様に５回のメツキ処理工程が必要であった。」（第１ページ右下欄第２行〜第２ページ右上欄第１４行）
　
　（２）第２図には、一方のキャリア１で一体に接続された複数の第１列側のコネクタ接触端子３および他方のキャリア１で一体に接続された複数の第２列側のコネクタ接触端子３が、それらコネクタ接触端子３の長手方向がフープ導電材２の長手方向に直交するように配列しており、
　また第１列側のコネクタ接触端子３および第２列側のコネクタ接触端子３は、長手方向両端側にそれぞれ幅広部と幅狭部とを一体に備えていて、第１列側のコネクタ接触端子３および第２列側のコネクタ接触端子３は同一形状を有しており、
　第１列側のコネクタ接触端子３および第２列側のコネクタ接触端子３は、それぞれの中心位置を１／２ピッチずらし千鳥取りに配列されており、
　第１列側のコネクタ接触端子３の一端はフープ導電材２の一方の側部に沿って形成した前記一方のキャリア１に接続され、他端はフープ導電材２の他方の側部に沿って形成した前記他方のキャリア１に接続されておらず、且つ第２列側のコネクタ接触端子３の一端はフープ導電材２の他方の側部に沿って形成した前記他方のキャリア１に接続され、他端はフープ導電材２の一方の側部に沿って形成した前記一方のキャリア１に接続されておらず、第１列側のコネクタ接触端子３の幅広部・幅狭部が第２列側のコネクタ接触端子３の幅狭部・幅広部にそれぞれ対向するように配列されている、
　様子が記載されている。
　　　
　上記（１）の「コネクタ接触端子はコネクタハウジングのコネクタ接触端子孔と同一ピッチＰで、フープ導電材を順送金型により２列共取りで多数個を縦列に連続してプレス加工し、つぎにその縦列に連続した状態でメッキ処理を施し、さらにその縦列に連続した状態で自動機によりコネクタハウジングに自動組込みを行っていた。」という記載からすると、上記（２）の第２図に記載されているキャリア１で一体に接続したコネクタ接触端子３のピッチすなわち間隔は、コネクタハウジングのコネクタ接触端子孔のピッチ、すなわち間隔に一致させていると認められる。
　また、上記（２）の第２図に記載された事項の「第１列側のコネクタ接触端子３の・・・他端はフープ導電材２の他方の側部に沿って形成した前記他方のキャリア１に接続されておらず、且つ第２列側のコネクタ接触端子３の・・・他端はフープ導電材２の一方の側部に沿って形成した前記一方のキャリア１に接続されてされておらず、」から、一方のキャリア１で一体に接続された複数の第１列側のコネクタ接触端子３は、他方のキャリア１で一体に接続された複数の第２列側のコネクタ接触端子３から分離できるといえる。
　さらに、上記（１）の「（２）第２図に示すごとくトランスファプレス機の各ステーシヨンに移送するためのキャリア１をフープ導電材２の移送方向の両側部に形成して、このそれぞれのキャリア１に中心位置を１／２ピッチずらし第１列側および第２列側のコネクタ接触端子３を千鳥取りに配置した製造方法においても、」という記載から、上記（２）の第２図に記載された様子は、フープ導電材２から第１列側のコネクタ接触端子３および第２列側のコネクタ接触端子３をプレス打ち抜きしたときの様子を表しているものと認められる。
　そして、コネクタ接触端子、第１列側のコネクタ接触端子、第２列側のコネクタ接触端子は、それぞれコネクタ端子、第１コネクタ端子、第２コネクタ端子とも表現できるので、これらの表現を用いて、コネクタ端子の製造方法という視点から、上記（１）、（２）の記載事項を総合すると、刊行物１には、次の発明（以下、「（以下、「刊行物記載の発明」という。）が記載されていると認められる。
　「一方のキャリア１で一体に接続された複数の第１コネクタ端子３および他方のキャリア１で一体に接続された複数の第２コネクタ端子３が、それらコネクタ端子３の長手方向がフープ導電材２の長手方向に直交するように配列して、フープ導電材２からプレス打ち抜きにより形成されるコネクタ端子の製造方法であって、
　第１コネクタ端子３および第２コネクタ端子３は、長手方向両端側にそれぞれ幅広部と幅狭部とを一体に備えていて、第１コネクタ端子３および第２コネクタ端子３は同一形状を有しており、
　また第１コネクタ端子３および第２コネクタ端子３はそれぞれの中心位置を１／２ピッチずらし千鳥取りに配列されると共に、隣接する第１コネクタ端子３の間隔と、隣接する第２コネクタ端子３の間隔とを、それらが挿入されるコネクタハウジングのコネクタ端子孔の間隔に一致させており、
　前記フープ導電材２から第１コネクタ端子３および第２コネクタ端子３をプレス打ち抜きしたときには、第１コネクタ端子３の一端はフープ導電材２の一方の側部に沿って形成した前記一方のキャリア１に接続され、他端はフープ導電材２の他方の側部に沿って形成した前記他方のキャリア１に接続されておらず、且つ第２コネクタ端子３の一端はフープ導電材２の他方の側部に沿って形成した前記他方のキャリア１に接続され、他端はフープ導電材２の一方の側部に沿って形成した前記一方のキャリア１に接続されておらず、第１コネクタ端子３の幅広部・幅狭部が第２コネクタ端子３の幅狭部・幅広部にそれぞれ対向するように配列されていて、
　一方のキャリア１で一体に接続された複数の第１コネクタ端子３は、他方のキャリア１で一体に接続された複数の第２コネクタ端子３から分離でき
る、
　コネクタ端子の製造方法。」
  　
３−２．　対比
　そこで、本願補正発明と刊行物記載の発明を対比すると、その機能・構造からみて、後者の「一方のキャリア」、「他方のキャリア」、「フープ導電材」、「それぞれの中心位置を１／２ピッチずらし千鳥取りに配列され
る」、「コネクタ端子孔」、フープ導電材の「側部」は、それぞれ前者の「第１接続部」、「第２接続部」、「帯状の金属板母材」、「交互に配列される」、「端子嵌着孔」、金属板母材の「側縁」に相当する。
　後者の「第１コネクタ端子および第２コネクタ端子は、長手方向両端側にそれぞれ幅広部と幅狭部とを一体に備えていて、第１コネクタ端子および第２コネクタ端子は同一形状を有しており、」と前者の「第１コネクタ端子および第２コネクタ端子は、長手方向両端側にそれぞれ幅広部と、コネクタハウジングの端子装着孔への挿入後に折り曲げ加工される幅狭部とを一体に備えていて、その第１，第２コネクタ端子の幅広部は同一形状を有しているが、第２コネクタ端子の幅狭部が第１コネクタ端子の幅狭部よりも長くなっており、」とは、「第１コネクタ端子および第２コネクタ端子は、長手方向両端側にそれぞれ幅広部と幅狭部とを一体に備えていて、その第１、第２コネクタ端子の幅広部は同一形状を有しており、」の限りで共通しているといえる。
　同じく、後者の「前記フープ導電材から第１コネクタ端子および第２コネクタ端子をプレス打ち抜きしたときには、第１コネクタ端子の一端はフープ導電材の一方の側部に沿って形成した前記一方のキャリアに接続され、他端はフープ導電材の他方の側部に沿って形成した前記他方のキャリアに接続されておらず、且つ第２コネクタ端子の一端はフープ導電材の他方の側部に沿って形成した前記他方のキャリアに接続され、他端はフープ導電材の一方の側部に沿って形成した前記一方のキャリアに接続されておらず、第１コネクタ端子の幅広部・幅狭部が第２コネクタ端子の幅狭部・幅広部にそれぞれ対向するように配列されていて、」と前者の「前記金属板母材から第１コネクタ端子および第２コネクタ端子をプレス打ち抜きしたときには、第１コネクタ端子の一端および第２コネクタ端子の他端は金属板母材の一方の側縁に沿って形成した前記第１接続部に接続され、且つ第１コネクタ端子の他端および第２コネクタ端子の一端は金属板母材の他方の側縁に沿って形成した前記第２接続部に接続されていて、第１コネクタ端子の幅広部・幅狭部が第２コネクタ端子の幅狭部・幅広部にそれぞれ対向するように配列されており、」とは、「前記金属板母材から第１コネクタ端子および第２コネクタ端子をプレス打ち抜きしたときには、第１コネクタ端子の一端は一方の側縁に沿って形成した前記第１接続部に接続され、且つ第２コネクタ端子の一端は金属板母材の他方の側縁に沿って形成した前記第２接続部に接続されていて、第１コネクタ端子の幅広部・幅狭部が第２コネクタ端子の幅狭部・幅広部にそれぞれ対向するように配列されている、」の限りで共通しているといえる。
　そうすると、両者は、
　「第１接続部で一体に接続された複数の第１コネクタ端子および第２接続部で一体に接続され複数の第２コネクタ端子を、それら端子の長手方向が帯状の金属板母材の長手方向に直交するように配列して、該金属板母材からプレス打ち抜きにより成形するコネクタ端子の製造方法であって、
　第１コネクタ端子および第２コネクタ端子は、長手方向両端側にそれぞれ幅広部と幅狭部とを一体に備えていて、その第１、第２コネクタ端子の幅広部は同一形状を有しており、
　また第１コネクタ端子および第２コネクタ端子は交互に配列されると共
に、隣接する第１コネクタ端子の間隔と、隣接する第２コネクタ端子の間隔とを、それらが挿入されるコネクタハウジングの端子嵌着孔の間隔に一致させており、
　前記金属板母材から第１コネクタ端子および第２コネクタ端子をプレス打ち抜きしたときには、第１コネクタ端子の一端は一方の側縁に沿って形成した前記第１接続部に接続され、且つ第２コネクタ端子の一端は金属板母材の他方の側縁に沿って形成した前記第２接続部に接続されていて、第１コネクタ端子の幅広部・幅狭部が第２コネクタ端子の幅狭部・幅広部にそれぞれ対向するように配列されている、
　コネクタ端子の製造方法。」
　で一致し、次の点で相違する。
【相違点１】
　本願補正発明においては、第１コネクタ端子および第２コネクタ端子は、幅狭部がコネクタハウジングの端子装着孔への挿入後に折り曲げ加工されるものであるとともに、第２コネクタ端子の幅狭部が第１コネクタ端子の幅狭部よりも長くなっているのに対し、刊行物記載の発明においては、第２コネクタ端子の幅狭部は第１コネクタ端子の幅狭部と同一形状である点。
【相違点２】
　本願補正発明においては、金属板母材から第１コネクタ端子および第２コネクタ端子をプレス打ち抜きしたときには、第１コネクタ端子の他端は金属板母材の他方の側縁に沿って形成した前記第２接続部に接続され、且つ第２コネクタ端子の他端は金属板母材の一方の側縁に沿って形成した前記第１接続部に接続されており、そのプレス打ち抜き後に、第１コネクタ端子の他端を第２接続部から切断し、且つ第２コネクタ端子の他端を第１接続部から切断することにより、第１接続部と一体に接続された複数の第１コネクタ端子を、第２接続部と一体に接続された複数の第２コネクタ端子から分離するのに対し、刊行物記載の発明においては、金属板母材から第１コネクタ端子および第２コネクタ端子をプレス打ち抜きしたときには、第１コネクタ端子の他端は第２接続部に接続されておらず、第２コネクタ端子の他端は第１接続部に接続されておらず、第１接続部と一体に接続された複数の第１コネクタ端子を、第２接続部と一体に接続された複数の第２コネクタ端子から分離できる点。
　
　３−３．相違点の判断
　上記相違点について検討する。
（１）相違点１について
　刊行物記載の発明は、従来周知の、同じ形状のコネクタ端子を用いてなるコネクタを前提としたコネクタ端子の製造方法であるといえる。そして、コネクタの技術分野において、長さの異なる第１コネクタ端子と第２コネクタ端子をコネクタハウジングのコネクタ端子孔へ挿入後に折り曲げ加工してなるコネクタも、従来周知（例えば、特開平５−２９０４３号公報、実願平５−２７５６５号（実開平６−８３１３０号）のＣＤ−ＲＯＭを参照）であ
る。
　そうだすると、刊行物記載の発明のコネクタ端子の製造方法を上記従来周知の長さの異なる第１コネクタ端子と第２コネクタ端子をコネクタハウジングのコネクタ端子孔へ挿入後に折り曲げ加工してなるコネクタのコネクタ端子の製造に適用しようとすることは、当業者であれば容易に考え付くことであり、その適用に際して、第２コネクタ端子の幅狭部が第１コネクタ端子の幅狭部よりも長くなっているようにすることは、刊行物記載の発明において
も、コネクタ端子は、長手方向両端側にそれぞれ幅広部と幅狭部とを一体に備えたものであり、また、コネクタ端子の幅広部と幅狭部のどちらをコネクタハウジングのコネクタ端子孔へ挿入し、挿入後に折り曲げ加工するかは、挿入、折り曲げ加工後のコネクタ端子孔におけるコネクタ端子の保持強度、コネクタ端子に電気的に接続するソケットコンタクトの形状等を考慮して適宜決め得る技術的事項であると認められるから、当業者であれば適宜なし得たものである。
　よって、相違点１における本願補正発明の特定事項のようにすることは、当業者が容易に想到し得たことである。
　また、本願補正発明の相違点１における特定事項とすることによる効果も格別なものではない。
（２）相違点２について
　コネクタ端子のプレス製造において、コネクタ端子をプレス打ち抜きしたときには、コネクタ端子の長手方向の両端部がフープ材の両側縁（キャリア）に接続しているようにすることは、従来周知の技術である（例えば、特開昭５７−２２８３４号公報、特開昭５９−４６７８５号公報、特開平５−３４３１５１号公報を参照）。
　そうだとすると、刊行物記載の発明において、上記従来周知の技術を取り入れて、フープ導電材から第１コネクタ端子および第２コネクタ端子をプレス打ち抜きしたときには、第１コネクタ端子の他端もフープ導電材の他方の側部に沿って形成した前記他方のキャリアに接続され、第２コネクタ端子の他端もフープ導電材の一方の側部に沿って形成した前記一方のキャリアに接続されるようにし、その後に、上記コネクタ端子の他端をキャリアから切断
し、一方のキャリアに一体に接続された複数の第１コネクタ端子を、他方のキャリアと一体に接続された複数の第２コネクタ端子から分離できるようにすることは、当業者であれば必要に応じ適宜なし得たものである。
　よって、相違点２における本願補正発明の特定事項のようにすることは、当業者が容易に想到し得たことである。
　また、本願補正発明の相違点２における特定事項とすることによる効果
も、上記従来周知の技術及び刊行物記載の発明から予測できるものであっ
て、格別なものではない。
　　　
　したがって、本願補正発明は、刊行物記載の発明及び従来周知の事項に基づいて、当業者が容易に発明をすることができたものであるので、特許法第２９条第２項の規定により、特許出願の際独立して特許を受けることができない。
　　
　３−４．むすび
　したがって、本件補正は、平成１５年改正前特許法第１７条の２第５項において準用する同法第１２６条第４項の規定に違反するので、特許法第１５９条第１項において読み替えて準用する同法第５３条第１項の規定により却下すべきものである。
　　
第３．本願発明
　平成１５年９月８日付けの手続補正は、上記のとおり却下されたので、本願の請求項１に係る発明（以下、「本願発明」という。）は、平成１５年４月１４日付けの手続補正書により補正された明細書の特許請求の範囲の請求項１に記載された事項により特定される、以下のとおりのものである。
　「【請求項１】　第１接続部（７）で一体に接続された複数の第１コネクタ端子（４）および第２接続部（８）で一体に接続され第１コネクタ端子（４）よりも長い複数の第２コネクタ端子（５）を、それら端子（４，５）の長手方向が帯状の金属板母材（６）の長手方向に直交するように配列して、該金属板母材（６）からプレス打ち抜きにより成形するコネクタ端子の製造方法であって、
　第１コネクタ端子（４）および第２コネクタ端子（５）は交互に配列されると共に、隣接する第１コネクタ端子（４）の間隔と、隣接する第２コネクタ端子（５）の間隔とを、それらが挿入されるコネクタハウジング（１）の端子嵌着孔（９，１０）の間隔に一致させており、
　前記金属板母材（６）から第１コネクタ端子（４）および第２コネクタ端子（５）をプレス打ち抜きしたときには、第１コネクタ端子（４）の一端および第２コネクタ端子（５）の他端は金属板母材（６）の一方の側縁に沿って形成した前記第１接続部（７）に接続され、且つ第１コネクタ端子（４）の他端および第２コネクタ端子（５）の一端は金属板母材（６）の他方の側縁に沿って形成した前記第２接続部（８）に接続されており、
　そのプレス打ち抜き後に、第１コネクタ端子（４）の他端を第２接続部（８）から切断し、且つ第２コネクタ端子（５）の他端を第１接続部（７）から切断することにより、第１接続部（７）と一体に接続された複数の第１コネクタ端子（４）を、第２接続部（８）と一体に接続された複数の第２コネクタ端子（５）から分離することを特徴とする、コネクタ端子の製造方
法。」
　　
第４．刊行物の記載事項
　原査定の拒絶の理由に引用された刊行物、及び、その記載事項は、上記第２．の３の３−１に記載したとおりである。
　　
第５．対比・判断　
　本願発明は、上記第２．の１及び２で検討した本願補正発明から、その特定事項である「長手方向両端側にそれぞれ幅広部（４ｗ，５ｗ）と、コネクタハウジング（１）の端子装着孔（９，１０）への挿入後に折り曲げ加工される幅狭部（４ｎ，５ｎ）とを一体に備えていて、その第１，第２コネクタ端子（４，５）の幅広部（４ｗ，５ｗ）は同一形状を有しているが、第２コネクタ端子（５）の幅狭部（５ｎ）が第１コネクタ端子（４）の幅狭部（４ｎ）よりも長くなっており、」及び「第１コネクタ端子（４）の幅広部（４ｗ）・幅狭部（４ｎ）が第２コネクタ端子（５）の幅狭部（５ｎ）・幅広部（５ｗ）にそれぞれ対向するように配列されており、」を省いたものということができる。
　そうすると、本願発明の特定事項をすべて含み、さらに、「長手方向両端側にそれぞれ幅広部（４ｗ，５ｗ）と、コネクタハウジング（１）の端子装着孔（９，１０）への挿入後に折り曲げ加工される幅狭部（４ｎ，５ｎ）とを一体に備えていて、その第１，第２コネクタ端子（４，５）の幅広部（４ｗ，５ｗ）は同一形状を有しているが、第２コネクタ端子（５）の幅狭部（５ｎ）が第１コネクタ端子（４）の幅狭部（４ｎ）よりも長くなってお
り、」及び「第１コネクタ端子（４）の幅広部（４ｗ）・幅狭部（４ｎ）が第２コネクタ端子（５）の幅狭部（５ｎ）・幅広部（５ｗ）にそれぞれ対向するように配列されており、」との特定事項を付加したものに相当する本願補正発明が、上記第２．の３に記載したとおり、刊行物記載の発明及び従来周知の事項に基づいて、当業者が容易に発明をすることができたものであるから、本願発明も、同様に、刊行物記載の発明及び従来周知の事項に基づいて、当業者が容易に発明をすることができたものである。
　　
第６．むすび
　以上のとおり、本願発明は、刊行物記載の発明及び従来周知の事項に基づいて、当業者が容易に発明をすることができたものであるから、特許法第２９条第２項の規定により、特許を受けることができない。
　よって、結論のとおり審決する。